(57)【特許請求の範囲】
【請求項１】
１つの大きな側面が開放されているトレイであって、壁のくぼみの中に取り付けられるように適合された前記トレイと、
前記トレイに関連付けられたヒンジピンと、
前記ヒンジピンに枢動可能に保持されるヒンジと、を備える取り付け可能なコルク栓抜きであって、前記ヒンジは、その自由端においてコルク栓抜きに取り付けられて、前記コルク栓抜きが前記トレイに格納されている格納ポジションと、前記コルク栓抜きが前記トレイから外されている展開使用ポジションとの間で、前記コルク栓抜きをスイングさせる、
取り付け可能なコルク栓抜き。
【請求項２】
前記コルク栓抜きが前記展開使用ポジションの方向にスイングする際に持ち上がるように、前記ヒンジピンは、垂直方向に対して角度を付けられている、請求項１に記載の取り付け可能なコルク栓抜き。
【請求項３】
前記ヒンジには、前記ヒンジを動かす指を受ける為の、前記ヒンジを貫通する開口が設けられている、請求項１に記載の取り付け可能なコルク栓抜き。
【請求項４】
前記コルク栓抜きを前記格納ポジションと前記展開使用ポジションとの間で約１８０度にわたってスイングさせることが可能なように、前記ヒンジに角度が付けられている、請求項１に記載の取り付け可能なコルク栓抜き。
【請求項５】
前記トレイは、前記開放された１つの大きな側面の方向に延びるフランジを含み、前記格納ポジションにおいては、前記ヒンジが前記フランジの背後に置かれており、前記ヒンジを前記フランジの背後ではない位置に持ち上げることにより、前記コルク栓抜きを前記格納ポジションから前記展開使用ポジションに動かすことが可能になる、請求項１に記載の取り付け可能なコルク栓抜き。
【請求項６】
前記トレイは、前記開放された１つの大きな側面から離れるように延びて前記壁と重なるフランジを含む、請求項１に記載の取り付け可能なコルク栓抜き。
【請求項７】
前記コルク栓抜きは、
前記ヒンジに枢動可能に接続されたハンドルと、
前記ハンドルに接続されたスクリューと、
前記ヒンジに枢動可能に接続されたスクリューハウジングと、を備え、
前記ヒンジに対して前記ハンドルを下げて前記スクリューをボトルのコルク栓にねじ込み、前記ヒンジに対して前記ハンドルを上げて前記ボトルから前記コルク栓を引き抜く、
請求項１に記載の取り付け可能なコルク栓抜き。
【請求項８】
前記スクリューハウジングは、ボトルネック位置決めカラーを含む、請求項７に記載の取り付け可能なコルク栓抜き。
【請求項９】
前記コルク栓抜きは、前記格納ポジションにあるときは、前記壁と面一になる、請求項１に記載の取り付け可能なコルク栓抜き。
【請求項１０】
前記コルク栓抜きは、前記展開使用ポジションにあるときは、前記壁の前方に位置する、請求項１に記載の取り付け可能なコルク栓抜き。
【請求項１１】
航空機のギャレーの壁の面にあるくぼみの中に取り付けられる、取り付け可能なコルク栓抜きであって、
１つの大きな側面が開放されているトレイであって、前記くぼみの中に取り付けられるように適合された前記トレイと、
前記トレイに関連付けられたヒンジピンと、
前記ヒンジピンに枢動可能に保持されるヒンジと、を備える取り付け可能なコルク栓抜きであって、前記ヒンジは、その自由端においてコルク栓抜きに取り付けられて、前記コルク栓抜きが前記トレイに格納されていて前記壁の前記面と面一になっている格納ポジションと、前記コルク栓抜きが前記壁の前方に位置する展開使用ポジションとの間で、前記コルク栓抜きをスイングさせる、
取り付け可能なコルク栓抜き。
【請求項１２】
前記コルク栓抜きが前記展開使用ポジションの方向にスイングする際に持ち上がるように、前記ヒンジピンは、垂直方向に対して角度を付けられている、請求項１１に記載の取り付け可能なコルク栓抜き。
【請求項１３】
前記ヒンジには、前記ヒンジを動かす指を受ける為の、前記ヒンジを貫通する開口が設けられている、請求項１１に記載の取り付け可能なコルク栓抜き。
【請求項１４】
前記コルク栓抜きを前記格納ポジションと前記展開使用ポジションとの間で約１８０度にわたってスイングさせることが可能なように、前記ヒンジに角度が付けられている、請求項１１に記載の取り付け可能なコルク栓抜き。
【請求項１５】
前記トレイは、前記開放された１つの大きな側面の方向に延びるフランジを含み、前記格納ポジションにおいては、前記ヒンジが前記フランジの背後に置かれており、前記ヒンジを前記フランジの背後ではない位置に持ち上げることにより、前記コルク栓抜きを前記格納ポジションから前記展開使用ポジションに動かすことが可能になる、請求項１１に記載の取り付け可能なコルク栓抜き。
【請求項１６】
前記トレイは、前記壁の前記面と重なるフランジを含む、請求項１１に記載の取り付け可能なコルク栓抜き。
【請求項１７】
前記コルク栓抜きは、前記格納ポジションにあるときも前記展開使用ポジションにあるときも前記ヒンジから抜けないように、前記ヒンジに固定されている、請求項１１に記載の取り付け可能なコルク栓抜き。
【発明の詳細な説明】
【技術分野】
【０００１】
本発明は、主に、航空機のギャレー（調理室）で使用されるような取り付け可能な台所器具の分野に関し、より具体的には、コンパクトに格納するポジションと展開して使用するポジションとの間でコルク栓抜きを動かすように構成された支持物に取り付けられるコルク栓抜きに関する。
【背景技術】
【０００２】
ギャレーを有する航空機や他の乗り物では、典型的に、器具類のデザインや収納方法が、限られた使用可能空間を最大限に利用する為、且つ、移動中のずれを防ぐ為のユニークなものになっている。航空機のギャレーや、他の旅客用の乗り物の場合は、器具類を見つけやすいように、且つ、紛失しないように、所定位置に固定することも望ましい。特に航空機の場合は、潜在的に危険なアイテム（例えば、鋭利なアイテム）を、凶器として使用されないように所定位置に取り付けることも望ましい。
【０００３】
ギャレー（例えば、航空機のギャレー）にごく普通にある、そのような器具の１つが、コルク栓抜きである。コルク栓抜きは、典型的には、鋭利な先端を有する、金属製のらせんコイルを含み、コルクにねじ込んで上方に引っ張ることにより、ボトル（例えば、ワインのボトル）からコルクが抜ける。従来のコルク栓抜きは、典型的には、使用時以外は引き出しに収納される、固定されていない手持ち式器具である。コルク栓抜きは、１回のフライトの間に何度も使用される可能性があり、且つ、凶器として使用される可能性が潜在的にある為、紛失及び凶器としての使用を防ぐ為に、都合のよい場所に固定されるコルク栓抜きを提供することが望ましいであろう。更に、使いやすい形式で、且つ、限られた空間を効率的に利用する形式でギャレー内に取り付けられるコルク栓抜きを提供することが望ましいであろう。
【発明の概要】
【課題を解決するための手段】
【０００４】
一態様では、本明細書において、取り付け可能なコルク栓抜きを提供する。
【０００５】
別の態様では、取り付け可能なコルク栓抜きは、支持壁（例えば、ギャレー壁、キャビネット、又は隔壁）の中に引っ込んだ状態で取り付けられるように構成されている。
【０００６】
別の態様では、コルク栓抜きは、トレイ内の格納ポジションと、支持壁の前方の展開使用ポジションとの間で可動である。
【０００７】
別の態様では、取り付け可能なコルク栓抜きは、格納ポジションにあるときは支持壁とほぼ面一になる。
【０００８】
別の態様では、コルク栓抜きは、可動支持物に固定されていて、格納ポジションにあるときも展開使用ポジションにあるときも可動支持物から抜けないようになっている。
【０００９】
別の態様では、コルク栓抜きは、片手で操作可能であり、空いている他方の手でボトルを保持することができる。
【００１０】
前述及び他の態様及び利点を達成する為に、一実施形態では、本明細書において、取り付け可能なコルク栓抜きが提供され、この取り付け可能なコルク栓抜きは、１つの大きな側面が開放されているトレイであって、壁のくぼみの中に取り付けられるように適合されたトレイと、トレイに関連付けられたヒンジピンと、ヒンジピンに枢動可能に保持されるヒンジと、を含み、ヒンジは、その自由端においてコルク栓抜きに取り付けられて、コルク栓抜きがトレイに格納されている格納ポジションと、コルク栓抜きがトレイから外されている展開使用ポジションとの間で、コルク栓抜きをスイングさせる。
【００１１】
コルク栓抜きが展開使用ポジションの方向にスイングする際に持ち上がるように、ヒンジピンは、垂直方向に対して角度を付けられてよい。
【００１２】
ヒンジには、ヒンジを動かす指を受ける為の、ヒンジを貫通する開口が設けられてよく、トレイは、開放された１つの大きな側面の方向に延びるフランジを含んでよく、格納ポジションにおいては、ヒンジがフランジの背後に置かれており、コルク栓抜きを格納ポジションから展開使用ポジションに動かす際にはヒンジを持ち上げてフランジを乗り越えさせる。
【００１３】
コルク栓抜きを格納ポジションと展開使用ポジションとの間で約１８０度にわたってスイングさせることが可能なように、ヒンジに角度を付けてよい。
【００１４】
トレイは、開放された１つの大きな側面から水平方向に外側に延びて壁と重なるフランジを含んでよい。
【００１５】
コルク栓抜きは、ヒンジに枢動可能に接続されたハンドルと、ハンドルに接続されたスクリューと、ヒンジに枢動可能に接続されたスクリューハウジングと、を含んでよく、ヒンジに対してハンドルを下げてスクリューをボトルのコルク栓にねじ込み、ヒンジに対してハンドルを上げてボトルからコルク栓を引き抜く。スクリューハウジングは、ボトルネック位置決めカラーを含んでよい。
【００１６】
コルク栓抜きは、格納ポジションにあるときは、壁と面一に取り付けられており、展開使用ポジションにあるときは、壁の前方に位置する。
【００１７】
本発明の更なる特徴、態様、及び利点が、以下の詳細な説明において示され、一部は、当業者であれば説明から自明であるか、或いは、本明細書に記載の本発明を実施することにより認識されるであろう。前述の概略説明及び後述の詳細な説明は、両方とも、本発明の様々な実施形態を提示するものであり、特許請求される本発明の性質及び特性を理解する為の概要又は枠組を与えることを意図したものであることを理解されたい。添付図面は、本発明がよりよく理解されるように含まれており、本明細書に組み込まれて本明細書の一部を成している。
【００１８】
本発明のこれら及び他の特徴、態様、及び利点は、添付図面を参照しながら本発明の以下の詳細な説明を読むことにより、よりよく理解される。
【図面の簡単な説明】
【００１９】
【図１】格納ポジションにある取り付け可能なコルク栓抜きの一実施形態の側立面図である。
【図２】使用の為に展開されているコルク栓抜きの側立面図であって、コルク栓抜きが展開される動きシーケンスを示す図である。
【図３】支持壁の、コルク栓抜きが取り付けられている部分の斜視図であって、コルク栓抜きが展開使用ポジションにある図である。
【図４】展開使用ポジションにあって、支持壁の前方に延びるコルク栓抜きの斜視図である。
【図５】ボトルのコルク栓にねじ込まれるコルク栓抜きの斜視図である。
【図６】ボトルのコルク栓にねじ込まれるコルク栓抜きの側立面図である。
【図７】ボトルのコルク栓にねじ込まれるコルク栓抜きの上面斜視図である。
【発明を実施するための形態】
【００２０】
以下では、本発明の例示的実施形態を図示した添付図面を参照しながら、本発明をより詳細に説明する。しかしながら、本発明は、多様な形態で実施されてよく、以下で説明する代表的な実施形態に限定されるものとして解釈されてはならない。それらの例示的実施形態は、本開示が、綿密且つ完結したものとなるように、且つ、本発明の範囲を完全に伝達して、当業者が本発明を作成、使用、及び実施することを可能にするように、提供されるものである。各図面を通して、同様な参照符号は、同様な要素を指すものである。
【００２１】
本明細書に開示の取り付け可能なコルク栓抜きは、支持壁（例えば、隔壁、ギャレーキャビネット、又は他の支持壁）上に取り付けられるように構成されている。本明細書では、取り付け可能なコルク栓抜きは、航空機のギャレー内の支持壁に取り付けられるものとして記載されているが、取り付け可能なコルク栓抜きは、（例えば、家庭、レストランの厨房、バー、又は他の任意の、コルク栓がついたボトルを開ける場所における）任意の支持構造に取り付けられることに適している。コルク栓抜きを支持壁上に取り付けることにより、幾つかある利点の中でも特に、コルク栓抜きを、使用時以外はしまい込むことが可能になり、使用時にコルク栓抜きを保持する手段が提供され、片方の手を、ボトルを保持することに使えるようになり、コルク栓抜きが支持壁に固定され、コルク栓抜きの紛失が防止される。
【００２２】
本明細書で用いる「コルク栓抜き」という用語は、ボトル又は他の容器からコルク栓又はストッパーを引き抜く任意の器具を広義に表すものとする。ほとんどのコルク栓抜きは、コルク栓にねじ込まれる、鋭利な先端を有するらせんコイルを含むが、本発明においては、他のタイプのコルク栓抜きも使用してよい。本明細書で図示及び説明されるコルク栓抜きは、特定のハンドル及びスクリューの構成を含むが、形状及び構成は、本発明の趣旨及び範囲から逸脱することなく変更することが可能であると想定している。例えば、代替のコルク栓抜きの構成として、幾つかある中でも特に、ねじり式Ｔバーハンドル、押圧レバー、翼ギヤ、二股コルク栓抜きなどがある。
【００２３】
図１〜３を参照すると、本発明の一実施形態による取り付け可能なコルク栓抜きの全体が参照符号１０で示されている。格納ポジションにある本アセンブリの全体は、厚さが実質的にその長さ又は高さより小さいことから、厚みの薄い壁（キャビネット又は隔壁など）の中に引っ込んだ状態で取り付けることが可能である。図に示されるように、本アセンブリは、本アセンブリの厚さ寸法を完全に収容するほど十分に深い、ギャレー壁「Ｇ」のくぼみ「Ｒ」の中に取り付けられている。この格納ポジションでは、本アセンブリは、支持壁とほぼ面一の状態に置かれる。
【００２４】
本アセンブリは、ほぼ矩形状のトレイ１２を含み、トレイ１２は、その大きな側面の１つが開放されていて、使用時以外の可動コルク栓抜き１４を収容する。トレイ１２は、深さがコルク栓抜き１４の厚さとほぼ同じであり、使用時以外のコルク栓抜きの全体をトレイの中に格納することが可能である。トレイ１２の形状及び寸法は、コルク栓抜き１４の形状に対応するように決定してよい。トレイ１２は、側壁１６を有しており、側壁１６は、底面から「上方に」延びて、トレイの深さを定めている。トレイ１２は更に、水平方向フランジ１８を含み、フランジ１８は、側壁から外側に向かって垂直に延びてギャレー壁Ｇと重なっている。トレイ１２は、留め具、接着剤、その他により、ギャレー壁Ｇに（ギャレー壁Ｇ内に）固定されてよい。
【００２５】
本アセンブリは更に、コルク栓抜き１４をその格納ポジションと展開使用ポジションとの間で動かすための、ヒンジピン２２に取り付けられるスイングヒンジ２０を含む。ヒンジ２０は、（例えば、アルミニウム製の）ほぼ平坦な部材であり、その自由端においてコルク栓抜き１４に取り付けられている。図に示されるように、ヒンジピン２２は、トレイの上部側壁及び下部側壁にある開口で受け止められており、垂直方向に対してわずかに角度が付けられている。ヒンジピン２２のこの角度によって、コルク栓抜き１４をその展開使用ポジションに動かしたときにコルク栓抜き１４が持ち上がり、上方にわずかに角度が付く。
【００２６】
ヒンジ２０には、コルク栓抜き１４をその格納ポジションと展開使用ポジションとの間で動かす為の、ヒンジ２０を貫通する指穴２４が設けられている。ヒンジ２０は、格納ポジションでは、トレイ１２の開口内にわずかに突き出ているフランジ２６によって所定位置にロックされてよい。コルク栓抜き１４をその格納ポジションから動かす場合は、ヒンジ２０を上方に持ち上げてフランジ２６を乗り越えさせ、ヒンジの自由端が外側に自由にスイングできるようにする。図に示されるように、トレイ１２の上部と上部側壁１６との間には、ヒンジ２０をトレイ内で持ち上げる為の隙間が設けられている。更に、ヒンジ２０にわずかな角度を付けて、コルク栓抜き１４が、図２に示されるように、その格納ポジションと展開使用ポジションとの間でほぼ１８０度いっぱいスイングするようにしてよい。コルク栓抜き１４は、展開使用ポジションでは、角度を付けて取り付けているピン２２により、使いやすい、上向きの人間工学的角度で展開される。
【００２７】
コルク栓抜き１４は、ヒンジ２０の自由端に取り付けられ、コルク栓抜き１４のハンドル２８が、ヒンジからおおむね遠ざかる方向に延びている。スクリュー３０は、スクリューハウジング３２と共軸であり、下方に延びている。
【００２８】
図４を参照すると、コルク栓抜き１４は、完全に展開されたポジションでは、全体がギャレー壁Ｇの前方にある為、邪魔な物がなく使いやすい状態にある。本アセンブリは、格納ポジションと展開使用ポジションとの間でスイングする空間を必要とするので、別の支持壁から離れた場所、又は、コルク栓抜き１４のスイング経路にある物体から離れた場所に取り付けられることが好ましい。
【００２９】
図５を参照すると、ハンドル２８は、ヒンジ２０に枢動可能に取り付けられており、ハンドルを上げたり下げたりして、スクリュー２８を使用時にヒンジ２０から離すことが可能である。スクリューハウジング３２は、ボトルネック位置決めカラーとしても働き、コルク栓抜き１４に枢動可能に取り付けられており、従って、上方にスイングしてボトル３４のネックを受け止めることが可能である。スクリューハウジング３２は、ハンドル２８の枢動とは独立に枢動可能である。
【００３０】
コルク栓を抜くには、ハンドル２８を持ち上げ、ボトル３４のネックをスクリューハウジング３２の下から挿入する。スクリューハウジング３２は、少し外に傾いてボトルのネックを収容する。ハンドル２８は、ハウジングにより、スクリュー２８に対して正しい位置に保持される。図６に示されるように、ハンドル２８を、図示された位置まで押し下げて、スクリュー２８をコルク栓にねじ込む。これと同じポジションを別の方向から見たものを、図７に示す。コルク栓を抜くには、ハンドル２８を持ち上げ、ボトル３４の口をスクリューハウジング３２に当てる。ハンドル２８を更に持ち上げると、コルク栓がボトル３４から抜ける。
【００３１】
従って、コルク栓抜き１４は、盗難、誤用、又は紛失から保護された状態で、便利に使用可能である。本アセンブリは、後付けアイテムとして既存装備内に設置することが容易である。或いは、本アセンブリは、新規の機器取り付けの場合には工場で設置することが可能である。本アセンブリは特に、空間が貴重な環境において、都合がよく、空間の節約になる。
【００３２】
ここまでの記述は、本発明の実施形態を、例示としてのみ提供している。他の実施形態も、同様の機能の実施、及び／又は同様の成果の達成が可能であると想定している。そのような等価な実施形態及び実施例は全て、本発明の趣旨及び範囲に収まるものであり、添付の特許請求の範囲によって包含されるものとする。
【図１】
0005752278.tif 000002
【図２】
0005752278.tif 000003
【図３】
0005752278.tif 000004
【図４】
0005752278.tif 000005
【図５】
0005752278.tif 000006
【図６】
0005752278.tif 000007
【図７】
0005752278.tif 000008